(57)【要約】【課題】    本発明の目的は、分割された絵馬本体片の処理に好適な絵馬を提供するものである。【解決手段】    絵馬は、第１の孔、第２の孔を有した絵馬本体と、前記第１の孔と前記第２の孔に通した紐とを備えた絵馬であって、前記絵馬本体に切れ目である分離容易部を有し、前記分離容易部を介して前記絵馬本体の一方の側に前記第１の孔が、前記絵馬本体の他方の側に前記第２の孔が、それぞれ位置し、前記分離容易部の隣接する前記切れ目は、薄肉部を介して前記分離容易部に連結され、前記分離容易部を破壊して、前記絵馬本体を分割するものである。【選択図】図１
2019063122.tif 000002
【特許請求の範囲】
【請求項１】
第１の孔、第２の孔を有した絵馬本体と、
前記第１の孔と前記第２の孔に通した紐とを備えた絵馬であって、
前記絵馬本体に分離容易部を有し、
前記分離容易部を介して前記絵馬本体の一方の側に前記第１の孔が、前記絵馬本体の他方の側に前記第２の孔が、それぞれ位置し、
前記分離容易部を破壊して、前記絵馬本体を分割する
ことを特徴とする絵馬。
【請求項２】
第１の孔、第２の孔を有した絵馬本体と、
前記第１の孔と前記第２の孔に通した紐とを備えた絵馬であって、
前記絵馬本体に複数の切れ目である分離容易部を有し、
前記分離容易部を介して前記絵馬本体の一方の側に前記第１の孔が、前記絵馬本体の他方の側に前記第２の孔が、それぞれ位置し、
前記分離容易部の隣接する前記切れ目は、接続部を介して前記分離容易部に連結され、
前記接続部を破壊して、前記絵馬本体を分割する
ことを特徴とする絵馬。
【請求項３】
第１の孔、第２の孔を有した絵馬本体と、
前記第１の孔に通す又は、前記第１の孔を介して取り付けられた第１の紐と、
前記第２の孔に通す又は、前記第２の孔を介して取り付けられた第２の紐とを備えた絵馬であって、
前記絵馬本体に分離容易部を有し、
前記分離容易部を介して前記絵馬本体の一方の側に前記第１の孔が、前記絵馬本体の他方の側に前記第２の孔が、それぞれ位置し、
前記分離容易部を破壊して、前記絵馬本体を分割する
ことを特徴とする絵馬。
【請求項４】
第１の孔、第２の孔を有した絵馬本体と、
前記第１の孔に通す又は、前記第１の孔を介して取り付けられた第１の紐と、
前記第２の孔に通す又は、前記第２の孔を介して取り付けられた第２の紐とを備えた絵馬であって、
前記絵馬本体に複数の切れ目である分離容易部を有し、
前記分離容易部を介して前記絵馬本体の一方の側に前記第１の孔が、前記絵馬本体の他方の側に前記第２の孔が、それぞれ位置し、
前記分離容易部の隣接する前記切れ目は、接続部を介して前記分離容易部に連結され、
前記接続部を破壊して、前記絵馬本体を分割する
ことを特徴とする絵馬。
【発明の詳細な説明】
【技術分野】
【０００１】
本発明は、絵馬に係り、特に、分割された絵馬本体片の処理に好適な絵馬に関する。
【背景技術】
【０００２】
祈願、報謝のため社寺に奉納する絵馬がある。例えば、現在煩っている病気からの回復を祈願する場合、絵馬に祈願文を記載し、社寺へ奉納するのみである。
【発明の概要】
【発明が解決しようとする課題】
【０００３】
ところが、現在煩っている病気の縁を切り離し、思いを込めて絵馬を分割したい場合がある。
かかる場合、絵馬を容易に分割できないと共に、分割した絵馬を社寺にある木の枝、釘等に結び付けにくいという問題点が生じた。
【０００４】
本発明は、上記問題点を考慮してなされたもので、分割された絵馬本体片の処理に好適な絵馬を提供することを目的とする。
【課題を解決するための手段】
【０００５】
請求項１記載の絵馬は、第１の孔、第２の孔を有した絵馬本体と、前記第１の孔と前記第２の孔に通した紐とを備えた絵馬であって、前記絵馬本体に分離容易部を有し、前記分離容易部を介して前記絵馬本体の一方の側に前記第１の孔が、前記絵馬本体の他方の側に前記第２の孔が、それぞれ位置し、前記分離容易部を破壊して、前記絵馬本体を分割するものである。
【０００６】
また、請求項２記載の絵馬は、第１の孔、第２の孔を有した絵馬本体と、前記第１の孔と前記第２の孔に通した紐とを備えた絵馬であって、前記絵馬本体に複数の切れ目である分離容易部を有し、前記分離容易部を介して前記絵馬本体の一方の側に前記第１の孔が、前記絵馬本体の他方の側に前記第２の孔が、それぞれ位置し、前記分離容易部の隣接する前記切れ目は、接続部を介して前記分離容易部に連結され、前記接続部を破壊して、前記絵馬本体を分割するものである。
【０００７】
また、請求項３記載の絵馬は、第１の孔、第２の孔を有した絵馬本体と、前記第１の孔に通す又は、前記第１の孔を介して取り付けられた第１の紐と、前記第２の孔に通す又は、前記第２の孔を介して取り付けられた第２の紐とを備えた絵馬であって、前記絵馬本体に分離容易部を有し、前記分離容易部を介して前記絵馬本体の一方の側に前記第１の孔が、前記絵馬本体の他方の側に前記第２の孔が、それぞれ位置し、前記分離容易部を破壊して、前記絵馬本体を分割するものである。
【０００８】
また、請求項４記載の絵馬は、第１の孔、第２の孔を有した絵馬本体と、前記第１の孔に通す又は、前記第１の孔を介して取り付けられた第１の紐と、前記第２の孔に通す又は、前記第２の孔を介して取り付けられた第２の紐とを備えた絵馬であって、前記絵馬本体に複数の切れ目である分離容易部を有し、前記分離容易部を介して前記絵馬本体の一方の側に前記第１の孔が、前記絵馬本体の他方の側に前記第２の孔が、それぞれ位置し、前記分離容易部の隣接する前記切れ目は、接続部を介して前記分離容易部に連結され、
前記接続部を破壊して、前記絵馬本体を分割する
ものである。
【発明の効果】
【０００９】
請求項１記載の絵馬によれば、祈願、報謝の際に、分離容易部を破壊して、祈願、報謝の思いを込めることができ、しかも、祈願、報謝の際に、分離容易部を破壊して、絵馬本体を分割しても、前記分離容易部を介して前記絵馬本体の一方の側に前記第１の孔が、前記絵馬本体の他方の側に前記第２の孔が、それぞれ位置し、紐が介在しているため、分割された絵馬本体片の分離を防ぎ、更に、分割された絵馬本体片を紐により社寺にある木の枝、釘等に容易に結び付けることができる。
【００１０】
また、請求項２記載の絵馬によれば、祈願、報謝の際に、分離容易部を破壊して、祈願、報謝の思いを込めることができ、しかも、祈願、報謝の際に、分離容易部を破壊して、絵馬本体を分割しても、前記分離容易部を介して前記絵馬本体の一方の側に前記第１の孔が、前記絵馬本体の他方の側に前記第２の孔が、それぞれ位置し、紐が介在しているため、分割された絵馬本体片の分離を防ぎ、更に、分割された絵馬本体片を紐により社寺にある木の枝、釘等に容易に結び付けることができる。
【００１１】
また、請求項３記載の絵馬によれば、祈願、報謝の際に、分離容易部を破壊して、祈願、報謝の思いを込めることができ、しかも、祈願、報謝の際に、分離容易部を破壊して、絵馬本体を分割しても、分割された絵馬本体片を第１，第２の紐により社寺にある木の枝、釘等に容易に結び付けることができ、更に、分割された絵馬本体片を離間して個別に設置することができる。
【００１２】
また、請求項４記載の絵馬によれば、祈願、報謝の際に、分離容易部を破壊して、祈願、報謝の思いを込めることができ、しかも、祈願、報謝の際に、分離容易部を破壊して、絵馬本体を分割しても、分割された絵馬本体片を第１，第２の紐により社寺にある木の枝、釘等に容易に結び付けることができ、更に、分割された絵馬本体片を離間して個別に設置することができる。
【図面の簡単な説明】
【００１３】
【図１】図１は、本発明の一実施例の絵馬の概略的正面図である
【図２】図２は、図１の分離容易部の一部を拡大して示す概略的一部拡大正面図である
【図３】図３は、図１の絵馬を二つに分割した絵馬の概略的正面図である
【図４】図４は、図１の絵馬と異なる他の実施例の絵馬の概略的正面図である
【図５】図５は、図４の分離容易部の一部を拡大して示す概略的一部拡大正面図である
【図６】図６は、図４の絵馬を二つに分割した絵馬の概略的正面図である
【発明を実施するための形態】
【００１４】
本発明の一実施例の絵馬を図面を参照して説明する。
図１乃至図３において、Ａは祈願、報謝のため社寺に奉納する絵馬で、絵馬Ａは、第１の孔１ａ、第２の孔１ｂを有した絵馬本体１と、第１の孔１ａと第２の孔１ｂに通した紐２とを備えている。
なお、絵馬本体１には、図示しないが、社寺、干支等の図柄が印刷、筆等で描かれている。
【００１５】
絵馬本体１は、五角形（図１乃至図３）、ハート形（図４乃至図６）等に形成された板材で、絵馬本体には、切れ目である分離容易部１１を有し、分離容易部１１を介して絵馬本体１１の一方の側１１Ｘに第１の孔１ａが、絵馬本体１１の他方の側１１Ｙに第２の孔１ｂが、それぞれ位置している。
なお、分離容易部１１の複数の切れ目１１Ｋの内、隣接する切れ目１１Ｋは、接続部１１Ｎを介して分離容易部１１に連結されている。
具体的には、絵馬本体１の表面から裏面に至るように、例えば、レーザー、糸鋸等で形成される。祈願、報謝の際に、分離容易部１１を手等で破壊して、祈願の思いを込めて、絵馬本体１１を分割することができる。なお、分離容易部１１を切れ目１１Ｋに一部切り残して形成したが、本願発明の分離容易部１１にあっては、これに限らず、図示しないが、絵馬本体１の厚みを薄くした薄肉部でも良い。
【００１６】
絵馬本体１１の一方の側１１Ｘには、例えば、祈願、報謝する人の名前、絵馬本体１１の他方の側１１Ｙには、例えば、縁を切りたい対象、例えば、現在煩っている病名、会社の上司の名前、分かれたい人の名前等を記載することができる。
【００１７】
従って、上述した絵馬Ａによれば、祈願、報謝の際に、分離容易部１１を破壊して（割る行為により）、祈願、報謝の思いを込めることができ、しかも、祈願、報謝の際に、分離容易部１１を破壊して、絵馬本体１を分割しても、分離容易部１１を介して絵馬本体１の一方の側１１Ｘに第１の孔１ａが、絵馬本体１の他方の側１１Ｙに第２の孔１ｂが、それぞれ位置し、紐２が介在している（図１及び図３参照）ため、分割された絵馬本体片の分離を防ぎ、更に、分割された絵馬本体片を紐２により社寺にある木の枝、釘等に容易に結び付けることができる。
【００１８】
なお、上述した図１乃至図３記載の絵馬Ａにおいては、絵馬本体１の第１の孔１ａと第２の孔１ｂに通した１本の紐２を使用して、社寺にある木の枝、釘等に結び付けたが、本願発明にあっては、これに限らず、２本の紐２１、２２を使用しても良い（図４乃至図６）。
【００１９】
即ち、この場合の絵馬Ａにあっては、図４乃至図６に示すように、第１の孔１ａ、第２の孔１ｂを有した絵馬本体１と、第１の孔１ａに通す又は、第１の孔１ａを介して取り付けられた（結ばれた）第１の紐２１と、第２の孔１ｂに通す又は、第２の孔１ｂを介して取り付けられた（結ばれた）第２の紐２２とを備えた絵馬Ａであって、絵馬本体１に切れ目である分離容易部１１を有し、分離容易部１１を介して絵馬本体１の一方の側１Ｘに第１の孔１ａが、絵馬本体１の他方の側１Ｙに第２の孔１ｂが、それぞれ位置し、分離容易部１１の隣接する切れ目１１Ｋは、接続部１１Ｎを介して分離容易部１１に連結され、分離容易部１１を破壊して、絵馬本体Ａを分割するものである。
この絵馬Ａによれば、祈願、報謝の際に、分離容易部１１を破壊して、祈願、報謝の思いを込めることができ、祈願、報謝の際に、分離容易部１１を破壊して、絵馬本体１を分割しても、分割された絵馬本体片を第１，第２の紐により社寺にある木の枝、釘等に容易に結び付けることができ、更に、分割された絵馬本体片を離間して個別に設置することができる。
なお、図４乃至図６に示す実施例にあっては、分離容易部１１を切れ目１１Ｋに一部切り残して形成したが、本願発明の分離容易部１１にあっては、これに限らず、図示しないが、絵馬本体１の厚みを薄くした薄肉部でも良い。
【符号の説明】
【００２０】
Ａ      絵馬
１      絵馬本体
１ａ    第１の孔
１ｂ    第２の孔
２      紐
１１    分離容易部
【図１】
2019063122.tif 000003
【図２】
2019063122.tif 000004
【図３】
2019063122.tif 000005
【図４】
2019063122.tif 000006
【図５】
2019063122.tif 000007
【図６】
2019063122.tif 000008
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
第１の孔、第２の孔を有した絵馬本体と、
前記第１の孔と前記第２の孔に通した１本の紐とを備えた絵馬であって、
前記絵馬本体に分離容易部を有し、
前記分離容易部を介して前記絵馬本体の一方の側に前記第１の孔が、前記絵馬本体の他方の側に前記第２の孔が、それぞれ位置し、
前記絵馬本体に縁を切りたい対象が記載され、
前記分離容易部を破壊して、前記絵馬本体を分割し、
分割された絵馬本体片を前記１本の紐により社寺にある木の枝又は釘に結び付ける
ことを特徴とする絵馬の結び付け方法。
【請求項２】
第１の孔、第２の孔を有した絵馬本体と、
前記第１の孔と前記第２の孔に通した１本の紐とを備えた絵馬であって、
前記絵馬本体に複数の切れ目である分離容易部を有し、
前記分離容易部を介して前記絵馬本体の一方の側に前記第１の孔が、前記絵馬本体の他方の側に前記第２の孔が、それぞれ位置し、
前記絵馬本体に縁を切りたい対象が記載され、
前記分離容易部の隣接する前記切れ目は、接続部を介して前記分離容易部に連結され、
前記切れ目は、前記絵馬本体の表面から裏面に至るものであり、
前記接続部を破壊して、前記絵馬本体を分割し、
分割された絵馬本体片を前記１本の紐により社寺にある木の枝又は釘に結び付ける
ことを特徴とする絵馬の結び付け方法。
【請求項３】
第１の孔、第２の孔を有した絵馬本体と、
前記第１の孔に通す又は、前記第１の孔を介して取り付けられた第１の紐と、
前記第２の孔に通す又は、前記第２の孔を介して取り付けられた第２の紐とを備えた絵馬であって、
前記絵馬本体に分離容易部を有し、
前記分離容易部を介して前記絵馬本体の一方の側に前記第１の孔が、前記絵馬本体の他方の側に前記第２の孔が、それぞれ位置し、
前記絵馬本体に縁を切りたい対象が記載され、
前記分離容易部を破壊して、前記絵馬本体を分割し、
分割された一方の絵馬本体片を前記第１の紐により、分割された他方の絵馬本体片を前記第２の紐により、社寺にある木の枝又は釘に結び付ける
ことを特徴とする絵馬の結び付け方法。
【請求項４】
第１の孔、第２の孔を有した絵馬本体と、
前記第１の孔に通す又は、前記第１の孔を介して取り付けられた第１の紐と、
前記第２の孔に通す又は、前記第２の孔を介して取り付けられた第２の紐とを備えた絵馬であって、
前記絵馬本体に複数の切れ目である分離容易部を有し、
前記分離容易部を介して前記絵馬本体の一方の側に前記第１の孔が、前記絵馬本体の他方の側に前記第２の孔が、それぞれ位置し、
前記絵馬本体に縁を切りたい対象が記載され、
前記分離容易部の隣接する前記切れ目は、接続部を介して前記分離容易部に連結され、
前記切れ目は、前記絵馬本体の表面から裏面に至るものであり、
前記接続部を破壊して、前記絵馬本体を分割し、
分割された一方の絵馬本体片を前記第1の紐により、分割された他方の絵馬本体片を前記第２の紐により、社寺にある木の枝又は釘に結び付ける
ことを特徴とする絵馬の結び付け方法。
【手続補正３】
【補正対象書類名】明細書
【補正対象項目名】０００１
【補正方法】変更
【補正の内容】
【０００１】
本発明は、絵馬の結び付け方法に係り、特に、分割された絵馬本体片の処理に好適な絵馬の結び付け方法に関する。
【手続補正４】
【補正対象書類名】明細書
【補正対象項目名】０００４
【補正方法】変更
【補正の内容】
【０００４】
本発明は、上記問題点を考慮してなされたもので、分割された絵馬本体片の処理に好適な絵馬の結び付け方法を提供することを目的とする。
【手続補正５】
【補正対象書類名】明細書
【補正対象項目名】０００５
【補正方法】変更
【補正の内容】
【０００５】
請求項１記載の絵馬の結び付け方法は、第１の孔、第２の孔を有した絵馬本体と、前記第１の孔と前記第２の孔に通した１本の紐とを備えた絵馬であって、前記絵馬本体に分離容易部を有し、前記分離容易部を介して前記絵馬本体の一方の側に前記第１の孔が、前記絵馬本体の他方の側に前記第２の孔が、それぞれ位置し、前記絵馬本体に縁を切りたい対象が記載され、前記分離容易部を破壊して、前記絵馬本体を分割し、分割された絵馬本体片を前記１本の紐により社寺にある木の枝又は釘に結び付けるものである。
【手続補正６】
【補正対象書類名】明細書
【補正対象項目名】０００６
【補正方法】変更
【補正の内容】
【０００６】
また、請求項２記載の絵馬の結び付け方法は、第１の孔、第２の孔を有した絵馬本体と、前記第１の孔と前記第２の孔に通した１本の紐とを備えた絵馬であって、前記絵馬本体に複数の切れ目である分離容易部を有し、前記分離容易部を介して前記絵馬本体の一方の側に前記第１の孔が、前記絵馬本体の他方の側に前記第２の孔が、それぞれ位置し、前記絵馬本体に縁を切りたい対象が記載され、前記分離容易部の隣接する前記切れ目は、接続部を介して前記分離容易部に連結され、前記切れ目は、前記絵馬本体の表面から裏面に至るものであり、前記接続部を破壊して、前記絵馬本体を分割し、分割された絵馬本体片を前記１本の紐により社寺にある木の枝又は釘に結び付けるものである。
【手続補正７】
【補正対象書類名】明細書
【補正対象項目名】０００７
【補正方法】変更
【補正の内容】
【０００７】
また、請求項３記載の絵馬の結び付け方法は、第１の孔、第２の孔を有した絵馬本体と、前記第１の孔に通す又は、前記第１の孔を介して取り付けられた第１の紐と、前記第２の孔に通す又は、前記第２の孔を介して取り付けられた第２の紐とを備えた絵馬であって、前記絵馬本体に分離容易部を有し、前記分離容易部を介して前記絵馬本体の一方の側に前記第１の孔が、前記絵馬本体の他方の側に前記第２の孔が、それぞれ位置し、前記絵馬本体に縁を切りたい対象が記載され、前記分離容易部を破壊して、前記絵馬本体を分割し、分割された一方の絵馬本体片を前記第１の紐により、分割された他方の絵馬本体片を前記第２の紐により、社寺にある木の枝又は釘に結び付けるものである。
【手続補正８】
【補正対象書類名】明細書
【補正対象項目名】０００８
【補正方法】変更
【補正の内容】
【０００８】
また、請求項４記載の絵馬の結び付け方法は、第１の孔、第２の孔を有した絵馬本体と、前記第１の孔に通す又は、前記第１の孔を介して取り付けられた第１の紐と、前記第２の孔に通す又は、前記第２の孔を介して取り付けられた第２の紐とを備えた絵馬であって、前記絵馬本体に複数の切れ目である分離容易部を有し、前記分離容易部を介して前記絵馬本体の一方の側に前記第１の孔が、前記絵馬本体の他方の側に前記第２の孔が、それぞれ位置し、前記絵馬本体に縁を切りたい対象が記載され、前記分離容易部の隣接する前記切れ目は、接続部を介して前記分離容易部に連結され、前記切れ目は、前記絵馬本体の表面から裏面に至るものであり、前記接続部を破壊して、前記絵馬本体を分割し、分割された一方の絵馬本体片を前記第１の紐により、分割された他方の絵馬本体片を前記第２の紐により、社寺にある木の枝又は釘に結び付けるものである。
【手続補正９】
【補正対象書類名】明細書
【補正対象項目名】０００９
【補正方法】変更
【補正の内容】
【０００９】
請求項１記載の絵馬の結び付け方法によれば、祈願の際に、分離容易部を破壊して、祈願の思いを込めることができ、しかも、分割された絵馬本体片を紐により社寺にある木の枝、釘等に容易に結び付けることができる。
【手続補正１０】
【補正対象書類名】明細書
【補正対象項目名】００１０
【補正方法】変更
【補正の内容】
【００１０】
また、請求項２記載の絵馬の結び付け方法によれば、祈願の際に、分離容易部を破壊して、祈願の思いを込めることができ、しかも、分割された絵馬本体片を紐により社寺にある木の枝、釘等に容易に結び付けることができる。
【手続補正１１】
【補正対象書類名】明細書
【補正対象項目名】００１１
【補正方法】変更
【補正の内容】
【００１１】
また、請求項３記載の絵馬の結び付け方法によれば、祈願の際に、分離容易部を破壊して、祈願の思いを込めることができ、しかも、分割された絵馬本体片を第１，第２の紐により社寺にある木の枝、釘等に容易に結び付けることができ、更に、分割された絵馬本体片を離間して個別に設置することができる。
【手続補正１２】
【補正対象書類名】明細書
【補正対象項目名】００１２
【補正方法】変更
【補正の内容】
【００１２】
また、請求項４記載の絵馬の結び付け方法によれば、祈願の際に、分離容易部を破壊して、祈願の思いを込めることができ、しかも、祈願の際に、分離容易部を破壊して、絵馬本体を分割しても、分割された絵馬本体片を第１，第２の紐により社寺にある木の枝、釘等に容易に結び付けることができ、更に、分割された絵馬本体片を離間して個別に設置することができる。
【手続補正１３】
【補正対象書類名】明細書
【補正対象項目名】００１３
【補正方法】変更
【補正の内容】
【００１３】
【図１】図１は、本発明の一実施例の絵馬の結び付け方法に使用する絵馬の概略的正面図である
【図２】図２は、図１の分離容易部の一部を拡大して示す概略的一部拡大正面図である
【図３】図３は、図１の絵馬を二つに分割した絵馬の概略的正面図である
【図４】図４は、図１の絵馬と異なる他の実施例の絵馬の概略的正面図である
【図５】図５は、図４の分離容易部の一部を拡大して示す概略的一部拡大正面図である
【図６】図６は、図４の絵馬を二つに分割した絵馬の概略的正面図である
【手続補正１４】
【補正対象書類名】明細書
【補正対象項目名】００１４
【補正方法】変更
【補正の内容】
【００１４】
本発明の一実施例の絵馬の結び付け方法に使用する絵馬を図面を参照して説明する。
図１乃至図３において、Ａは祈願、報謝のため社寺に奉納する絵馬で、絵馬Ａは、第１の孔１ａ、第２の孔１ｂを有した絵馬本体１と、第１の孔１ａと第２の孔１ｂに通した紐２とを備えている。
なお、絵馬本体１には、図示しないが、社寺、干支等の図柄が印刷、筆等で描かれている。
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
第１の孔、第２の孔を有した絵馬本体と、
前記第１の孔と前記第２の孔に通した１本の紐とを備えた絵馬であって、
前記絵馬本体に分離容易部を有し、
前記分離容易部を介して前記絵馬本体の一方の側に前記第１の孔が、前記絵馬本体の他方の側に前記第２の孔が、それぞれ位置し、
前記絵馬本体に縁を切りたい対象が記載され、
前記分離容易部を破壊して、前記絵馬本体を分割し、
分割された絵馬本体片を前記１本の紐により社寺にある木の枝又は釘に結び付けるものである
ことを特徴とする絵馬。
【請求項２】
第１の孔、第２の孔を有した絵馬本体と、
前記第１の孔と前記第２の孔に通した１本の紐とを備えた絵馬であって、
前記絵馬本体に複数の切れ目である分離容易部を有し、
前記分離容易部を介して前記絵馬本体の一方の側に前記第１の孔が、前記絵馬本体の他方の側に前記第２の孔が、それぞれ位置し、
前記絵馬本体に縁を切りたい対象が記載され、
前記分離容易部の隣接する前記切れ目は、接続部を介して前記分離容易部に連結され、
前記切れ目は、前記絵馬本体の表面から裏面に至るものであり、
前記接続部を破壊して、前記絵馬本体を分割し、
分割された絵馬本体片を前記１本の紐により社寺にある木の枝又は釘に結び付けるものである
ことを特徴とする絵馬。
【請求項３】
第１の孔、第２の孔を有した絵馬本体と、
前記第１の孔に通す又は、前記第１の孔を介して取り付けられた第１の紐と、
前記第２の孔に通す又は、前記第２の孔を介して取り付けられた第２の紐とを備えた絵馬であって、
前記絵馬本体に分離容易部を有し、
前記分離容易部を介して前記絵馬本体の一方の側に前記第１の孔が、前記絵馬本体の他方の側に前記第２の孔が、それぞれ位置し、
前記絵馬本体に縁を切りたい対象が記載され、
前記分離容易部を破壊して、前記絵馬本体を分割し、
分割された一方の絵馬本体片を前記第１の紐により、分割された他方の絵馬本体片を前記第２の紐により、社寺にある木の枝又は釘に結び付けるものである
ことを特徴とする絵馬。
【請求項４】
第１の孔、第２の孔を有した絵馬本体と、
前記第１の孔に通す又は、前記第１の孔を介して取り付けられた第１の紐と、
前記第２の孔に通す又は、前記第２の孔を介して取り付けられた第２の紐とを備えた絵馬であって、
前記絵馬本体に複数の切れ目である分離容易部を有し、
前記分離容易部を介して前記絵馬本体の一方の側に前記第１の孔が、前記絵馬本体の他方の側に前記第２の孔が、それぞれ位置し、
前記絵馬本体に縁を切りたい対象が記載され、
前記分離容易部の隣接する前記切れ目は、接続部を介して前記分離容易部に連結され、
前記切れ目は、前記絵馬本体の表面から裏面に至るものであり、
前記接続部を破壊して、前記絵馬本体を分割し、
分割された一方の絵馬本体片を前記第1の紐により、分割された他方の絵馬本体片を前記第２の紐により、社寺にある木の枝又は釘に結び付けるものである
ことを特徴とする絵馬。
【手続補正３】
【補正対象書類名】明細書
【補正対象項目名】０００１
【補正方法】変更
【補正の内容】
【０００１】
本発明は、絵馬に係り、特に、分割された絵馬本体片の処理に好適な絵馬に関する。
【手続補正４】
【補正対象書類名】明細書
【補正対象項目名】０００４
【補正方法】変更
【補正の内容】
【０００４】
本発明は、上記問題点を考慮してなされたもので、分割された絵馬本体片の処理に好適な絵馬を提供することを目的とする。
【手続補正５】
【補正対象書類名】明細書
【補正対象項目名】０００５
【補正方法】変更
【補正の内容】
【０００５】
請求項１記載の絵馬は、第１の孔、第２の孔を有した絵馬本体と、前記第１の孔と前記第２の孔に通した１本の紐とを備えた絵馬であって、前記絵馬本体に分離容易部を有し、前記分離容易部を介して前記絵馬本体の一方の側に前記第１の孔が、前記絵馬本体の他方の側に前記第２の孔が、それぞれ位置し、前記絵馬本体に縁を切りたい対象が記載され、前記分離容易部を破壊して、前記絵馬本体を分割し、分割された絵馬本体片を前記１本の紐により社寺にある木の枝又は釘に結び付けるものである。
【手続補正６】
【補正対象書類名】明細書
【補正対象項目名】０００６
【補正方法】変更
【補正の内容】
【０００６】
また、請求項２記載の絵馬は、第１の孔、第２の孔を有した絵馬本体と、前記第１の孔と前記第２の孔に通した１本の紐とを備えた絵馬であって、前記絵馬本体に複数の切れ目である分離容易部を有し、前記分離容易部を介して前記絵馬本体の一方の側に前記第１の孔が、前記絵馬本体の他方の側に前記第２の孔が、それぞれ位置し、前記絵馬本体に縁を切りたい対象が記載され、前記分離容易部の隣接する前記切れ目は、接続部を介して前記分離容易部に連結され、前記切れ目は、前記絵馬本体の表面から裏面に至るものであり、前記接続部を破壊して、前記絵馬本体を分割し、分割された絵馬本体片を前記１本の紐により社寺にある木の枝又は釘に結び付けるものである。
【手続補正７】
【補正対象書類名】明細書
【補正対象項目名】０００７
【補正方法】変更
【補正の内容】
【０００７】
また、請求項３記載の絵馬は、第１の孔、第２の孔を有した絵馬本体と、前記第１の孔に通す又は、前記第１の孔を介して取り付けられた第１の紐と、前記第２の孔に通す又は、前記第２の孔を介して取り付けられた第２の紐とを備えた絵馬であって、前記絵馬本体に分離容易部を有し、前記分離容易部を介して前記絵馬本体の一方の側に前記第１の孔が、前記絵馬本体の他方の側に前記第２の孔が、それぞれ位置し、前記絵馬本体に縁を切りたい対象が記載され、前記分離容易部を破壊して、前記絵馬本体を分割し、分割された一方の絵馬本体片を前記第１の紐により、分割された他方の絵馬本体片を前記第２の紐により、社寺にある木の枝又は釘に結び付けるものである。
【手続補正８】
【補正対象書類名】明細書
【補正対象項目名】０００８
【補正方法】変更
【補正の内容】
【０００８】
また、請求項４記載の絵馬は、第１の孔、第２の孔を有した絵馬本体と、前記第１の孔に通す又は、前記第１の孔を介して取り付けられた第１の紐と、前記第２の孔に通す又は、前記第２の孔を介して取り付けられた第２の紐とを備えた絵馬であって、前記絵馬本体に複数の切れ目である分離容易部を有し、前記分離容易部を介して前記絵馬本体の一方の側に前記第１の孔が、前記絵馬本体の他方の側に前記第２の孔が、それぞれ位置し、前記絵馬本体に縁を切りたい対象が記載され、前記分離容易部の隣接する前記切れ目は、接続部を介して前記分離容易部に連結され、前記切れ目は、前記絵馬本体の表面から裏面に至るものであり、前記接続部を破壊して、前記絵馬本体を分割し、分割された一方の絵馬本体片を前記第１の紐により、分割された他方の絵馬本体片を前記第２の紐により、社寺にある木の枝又は釘に結び付けるものである。
【手続補正９】
【補正対象書類名】明細書
【補正対象項目名】０００９
【補正方法】変更
【補正の内容】
【０００９】
請求項１記載の絵馬によれば、祈願の際に、分離容易部を破壊して、祈願の思いを込めることができ、しかも、分割された絵馬本体片を紐により社寺にある木の枝、釘等に容易に結び付けることができる。
【手続補正１０】
【補正対象書類名】明細書
【補正対象項目名】００１０
【補正方法】変更
【補正の内容】
【００１０】
また、請求項２記載の絵馬によれば、祈願の際に、分離容易部を破壊して、祈願の思いを込めることができ、しかも、分割された絵馬本体片を紐により社寺にある木の枝、釘等に容易に結び付けることができる。
【手続補正１１】
【補正対象書類名】明細書
【補正対象項目名】００１１
【補正方法】変更
【補正の内容】
【００１１】
また、請求項３記載の絵馬によれば、祈願の際に、分離容易部を破壊して、祈願の思いを込めることができ、しかも、分割された絵馬本体片を第１，第２の紐により社寺にある木の枝、釘等に容易に結び付けることができ、更に、分割された絵馬本体片を離間して個別に設置することができる。
【手続補正１２】
【補正対象書類名】明細書
【補正対象項目名】００１２
【補正方法】変更
【補正の内容】
【００１２】
また、請求項４記載の絵馬によれば、祈願の際に、分離容易部を破壊して、祈願の思いを込めることができ、しかも、祈願の際に、分離容易部を破壊して、絵馬本体を分割しても、分割された絵馬本体片を第１，第２の紐により社寺にある木の枝、釘等に容易に結び付けることができ、更に、分割された絵馬本体片を離間して個別に設置することができる。
【手続補正１３】
【補正対象書類名】明細書
【補正対象項目名】００１３
【補正方法】変更
【補正の内容】
【００１３】
【図１】図１は、本発明の一実施例の絵馬の概略的正面図である。
【図２】図２は、図１の分離容易部の一部を拡大して示す概略的一部拡大正面図である。
【図３】図３は、図１の絵馬を二つに分割した絵馬の概略的正面図である。
【図４】図４は、図１の絵馬と異なる他の実施例の絵馬の概略的正面図である。
【図５】図５は、図４の分離容易部の一部を拡大して示す概略的一部拡大正面図である。
【図６】図６は、図４の絵馬を二つに分割した絵馬の概略的正面図である。
【手続補正１４】
【補正対象書類名】明細書
【補正対象項目名】００１４
【補正方法】変更
【補正の内容】
【００１４】
本発明の一実施例の絵馬を図面を参照して説明する。
図１乃至図３において、Ａは祈願、報謝のため社寺に奉納する絵馬で、絵馬Ａは、第１の孔１ａ、第２の孔１ｂを有した絵馬本体１と、第１の孔１ａと第２の孔１ｂに通した紐２とを備えている。
なお、絵馬本体１には、図示しないが、社寺、干支等の図柄が印刷、筆等で描かれている。
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
第１の孔、第２の孔を有した絵馬本体と、
前記第１の孔と前記第２の孔に通した１本の紐とを備えた絵馬であって、
前記絵馬本体に分離容易部を有し、
前記分離容易部を介して前記絵馬本体の一方の側に前記第１の孔が、前記絵馬本体の他方の側に前記第２の孔が、それぞれ位置し、
前記絵馬本体に縁を切りたい対象が記載され、
前記分離容易部は、直線状のジグザグに形成され、
前記分離容易部の隣接する前記切れ目は、前記ジグザグの折返しに形成された接続部 を介して連結され、
前記切れ目は、前記絵馬本体の表面から裏面に至るものであり、
前記分離容易部を破壊して、前記絵馬本体を分割し、
分割された絵馬本体片を前記１本の紐により社寺にある木の枝又は釘に結び付けるものである
ことを特徴とする絵馬。
【請求項２】
第１の孔、第２の孔を有した絵馬本体と、
前記第１の孔と前記第２の孔に通した１本の紐とを備えた絵馬であって、
前記絵馬本体に複数の切れ目である分離容易部を有し、
前記分離容易部を介して前記絵馬本体の一方の側に前記第１の孔が、前記絵馬本体の他方の側に前記第２の孔が、それぞれ位置し、
前記絵馬本体に縁を切りたい対象が記載され、
前記分離容易部は、直線状のジグザグに形成され、
前記分離容易部の隣接する前記切れ目は、前記ジグザグの折返しに形成された接続部  を介して連結され、
前記切れ目は、前記絵馬本体の表面から裏面に至るものであり、
前記接続部を破壊して、前記絵馬本体を分割し、
分割された絵馬本体片を前記１本の紐により社寺にある木の枝又は釘に結び付けるものである
ことを特徴とする絵馬。
【請求項３】
第１の孔、第２の孔を有した絵馬本体と、
前記第１の孔に通す又は、前記第１の孔を介して取り付けられた第１の紐と、
前記第２の孔に通す又は、前記第２の孔を介して取り付けられた第２の紐とを備えた絵馬であって、
前記絵馬本体に分離容易部を有し、
前記分離容易部を介して前記絵馬本体の一方の側に前記第１の孔が、前記絵馬本体の他方の側に前記第２の孔が、それぞれ位置し、
前記絵馬本体に縁を切りたい対象が記載され、
前記分離容易部は、直線状のジグザグに形成され、
前記分離容易部の隣接する前記切れ目は、前記ジグザグの折返しに形成された接続部 を介して連結され、
前記切れ目は、前記絵馬本体の表面から裏面に至るものであり、
前記分離容易部を破壊して、前記絵馬本体を分割し、
分割された一方の絵馬本体片を前記第１の紐により、分割された他方の絵馬本体片を前記第２の紐により、社寺にある木の枝又は釘に結び付けるものである
ことを特徴とする絵馬。
【請求項４】
第１の孔、第２の孔を有した絵馬本体と、
前記第１の孔に通す又は、前記第１の孔を介して取り付けられた第１の紐と、
前記第２の孔に通す又は、前記第２の孔を介して取り付けられた第２の紐とを備えた絵馬であって、
前記絵馬本体に複数の切れ目である分離容易部を有し、
前記分離容易部を介して前記絵馬本体の一方の側に前記第１の孔が、前記絵馬本体の他方の側に前記第２の孔が、それぞれ位置し、
前記絵馬本体に縁を切りたい対象が記載され、
前記分離容易部は、直線状のジグザグに形成され、
前記分離容易部の隣接する前記切れ目は、前記ジグザグの折返しに形成された接続部  を介して連結され、
前記切れ目は、前記絵馬本体の表面から裏面に至るものであり、
前記接続部を破壊して、前記絵馬本体を分割し、
分割された一方の絵馬本体片を前記第1の紐により、分割された他方の絵馬本体片を前記第２の紐により、社寺にある木の枝又は釘に結び付けるものである
ことを特徴とする絵馬。
【手続補正２】
【補正対象書類名】明細書
【補正対象項目名】０００５
【補正方法】変更
【補正の内容】
【０００５】
請求項１記載の絵馬は、第１の孔、第２の孔を有した絵馬本体と、前記第１の孔と前記第２の孔に通した１本の紐とを備えた絵馬であって、前記絵馬本体に分離容易部を有し、前記分離容易部を介して前記絵馬本体の一方の側に前記第１の孔が、前記絵馬本体の他方の側に前記第２の孔が、それぞれ位置し、前記絵馬本体に縁を切りたい対象が記載され、前記分離容易部は、直線状のジグザグに形成され、前記分離容易部の隣接する前記切れ目は、前記ジグザグの折返しに形成された接続部 を介して連結され、前記切れ目は、前記絵馬本体の表面から裏面に至るものであり、前記分離容易部を破壊して、前記絵馬本体を分割し、分割された絵馬本体片を前記１本の紐により社寺にある木の枝又は釘に結び付けるものである。
【手続補正３】
【補正対象書類名】明細書
【補正対象項目名】０００６
【補正方法】変更
【補正の内容】
【０００６】
また、請求項２記載の絵馬は、第１の孔、第２の孔を有した絵馬本体と、前記第１の孔と前記第２の孔に通した１本の紐とを備えた絵馬であって、前記絵馬本体に複数の切れ目である分離容易部を有し、前記分離容易部を介して前記絵馬本体の一方の側に前記第１の孔が、前記絵馬本体の他方の側に前記第２の孔が、それぞれ位置し、前記絵馬本体に縁を切りたい対象が記載され、前記分離容易部は、直線状のジグザグに形成され、前記分離容易部の隣接する前記切れ目は、前記ジグザグの折返しに形成された接続部を介して連結され、前記切れ目は、前記絵馬本体の表面から裏面に至るものであり、前記接続部を破壊して、前記絵馬本体を分割し、分割された絵馬本体片を前記１本の紐により社寺にある木の枝又は釘に結び付けるものである。
【手続補正４】
【補正対象書類名】明細書
【補正対象項目名】０００７
【補正方法】変更
【補正の内容】
【０００７】
また、請求項３記載の絵馬は、第１の孔、第２の孔を有した絵馬本体と、前記第１の孔に通す又は、前記第１の孔を介して取り付けられた第１の紐と、前記第２の孔に通す又は、前記第２の孔を介して取り付けられた第２の紐とを備えた絵馬であって、前記絵馬本体に分離容易部を有し、前記分離容易部を介して前記絵馬本体の一方の側に前記第１の孔が、前記絵馬本体の他方の側に前記第２の孔が、それぞれ位置し、前記絵馬本体に縁を切りたい対象が記載され、前記分離容易部は、直線状のジグザグに形成され、前記分離容易部の隣接する前記切れ目は、前記ジグザグの折返しに形成された接続部を介して連結され、前記切れ目は、前記絵馬本体の表面から裏面に至るものであり、前記分離容易部を破壊して、前記絵馬本体を分割し、分割された一方の絵馬本体片を前記第１の紐により、分割された他方の絵馬本体片を前記第２の紐により、社寺にある木の枝又は釘に結び付けるものである。
【手続補正５】
【補正対象書類名】明細書
【補正対象項目名】０００８
【補正方法】変更
【補正の内容】
【０００８】
また、請求項４記載の絵馬は、第１の孔、第２の孔を有した絵馬本体と、前記第１の孔に通す又は、前記第１の孔を介して取り付けられた第１の紐と、前記第２の孔に通す又は、前記第２の孔を介して取り付けられた第２の紐とを備えた絵馬であって、前記絵馬本体に複数の切れ目である分離容易部を有し、前記分離容易部を介して前記絵馬本体の一方の側に前記第１の孔が、前記絵馬本体の他方の側に前記第２の孔が、それぞれ位置し、前記絵馬本体に縁を切りたい対象が記載され、前記分離容易部は、直線状のジグザグに形成され、前記分離容易部の隣接する前記切れ目は、前記ジグザグの折返しに形成された接続部  を介して連結され、前記切れ目は、前記絵馬本体の表面から裏面に至るものであり、前記接続部を破壊して、前記絵馬本体を分割し、分割された一方の絵馬本体片を前記第1の紐により、分割された他方の絵馬本体片を前記第２の紐により、社寺にある木の枝又は釘に結び付けるものである。